(57)【要約】      （修正有）【課題】治癒効果の増大、及びこれにともなう患者の行動範囲の広がりが期待できる医療治癒目的の粘着シートを提供する。【解決手段】粘着シートは、貼り付けた存在を目立たせ注視させ他人の視線を集めるように粘着シートの形状や彩配色と文字単語などメッセージや広告を具備したことで患者は治癒に対し積極的に立ち向かい且つ精神的な意欲及び精神的支えと楽しさの自己誘発をする。【選択図】図１
2008125518.tif 000002
【特許請求の範囲】
【請求項１】
医療に関する何らかの治癒の目的をもち皮膚へ直接に貼り付ける粘着シートの形状及び彩色ならびに配色は、医療に関する何らかの治癒の目的をもち皮膚へ直接に貼り付ける粘着シートの貼り付けたその存在を、隠したり目立たないように形状や彩色や配色を整えることなく、それとは全く逆に貼り付けた存在そのものを目立たせ注視させるように形状や彩色や配色又は付属品を具備したことを特徴とする医療治癒目的の粘着シート。
【請求項２】
医療に関する何らかの治癒の目的をもち皮膚へ直接に貼り付ける粘着シートの粘着面ではない他面等に、本来目的とするその病状や治癒行為へ何ら関係のないキャラクターや自然界のもの、製造物、写真、図、絵柄、等を表したもの、及び単語や文章など並びにメッセージや広告のこれらを単独又は複合して印刷具備する。その印刷具備した全形周囲に沿って裁断し整えたことを特徴とする医療治癒目的の粘着シート。
【請求項３】
医療向け及び其の他一般の粘着シートへＩＣタグや其の他の情報記憶タグ若しくは器具や装置や動力源等を印刷または取り付け又は搭載や貼り付けたことを特徴とする粘着シート
【請求項４】
医療向け及び其の他一般の粘着シートへ、貼られた粘着シートの存在を大いに目立たせ且つ注視させるために本来その目的と行為へ何らの処置や影響に関係のない香気成分を添加したことを特徴とする粘着シート。
【発明の詳細な説明】
【技術分野】
【０００１】
本発明は、打ち身や捻挫あるいは腰痛や肩痛または切り傷や切開などの医療治癒の一環として貼られる粘着シートが、貼り付けた存在そのものを大いに目立たせ注視させ他人の視線を集めるように粘着シートの形状や彩色や配色と単語や文章などメッセージや広告を具備したことを特徴とする医療治癒目的の粘着シートに関するものである。
【背景技術】
【０００２】
従来打ち身や捻挫あるいは腰痛や肩痛または切り傷や切開などの医療治癒の一環として貼られる粘着シートは貼られた粘着シートの存在を隠すか或いは目立たせない工夫の技術を施され人間の皮膚の感触と色もしくは下着色が採用されこの感触と色自体が気の滅入る雰囲気であるとともにこの感触と色ゆえに医療治癒行為の中途を患者自身が隠したいと願うあまり貼った箇所をスカーフや服で隠すなど及び小さくなって隠れるようにして入浴するか若しくは恥ずかしさのあまり人前での入浴を諦めるなど又は外出を諦めるなどの諸状況を生みそれが医療治癒に対する悲観的精神状態に陥るなどのマイナス要因を生じていた。
（例えば特許など文献１〜１０）がある。
【特許文献１】登録実用新案第３１０５６８２号
【特許文献２】実用新案公開平７‐５６１６号
【特許文献３】実用新案公開平５‐９１６３７号
【特許文献４】登録実用新案第３０５８８８７号
【特許文献５】特許公開２００４‐３５１７９５号
【特許文献６】特許公開２００１‐１４５６５５号
【特許文献７】特許公開平１０‐２３４７７２号
【特許文献８】特許公開２００５−１１１８５９号
【特許文献９】特許公開２００５−１４８９２１号
【特許文献１０】特許公開２００６−９５０３７号
【０００３】
前記らがなされているが全てに満足できるものではなく、これらの欠点を述べてみれば以下のごとくである。
１]取り外しの煩雑さの解消と装身具的な役割の絆創膏である
２]使用頻度に対する皮膚かぶれに対処する形状の絆創膏である
３]容易に指先を被覆保護する絆創膏の形状である
４]入浴時の熱湯長湯を避ける自意識を促す手段としてハート形の湿布薬シートである
５]関節等の大きな急激な動きに対して剥がれにくい絆創膏である
６]医療切開等の手術後の傷跡を隠すために貼る肌色に近い絆創膏である
７]結婚祝いメッセージを書き込み可能な貼り付け片が数枚で構成された貼り絵である
８]ＩＣタグの利用方法である
９]ＩＣタグの装着装置の必要がある
【発明の開示】
【発明が解決しようとする課題】
【０００４】
従来の技術では、人の皮膚や肌に直接貼り付けて使う医療治癒目的の粘着シート類は、貼りやすく剥がれ難いとか皮膚かぶれを少しでも防ぐとか或いは薬効促進とか傷口に貼り付け目立たせない等の類の程度であった。粘着シートの医療治癒効果の性能アップと及び人の皮膚や肌に貼り付けた粘着シートその物の存在を目立たせない等の工夫がなされていたが、医療治癒に積極的に立ち向かわせ精神的な治癒意欲をかきたてる工夫つまり精神的な支えを与え又は他人の言動から治癒応援などが感じ取れるなど楽しさに溢れた趣のあるプラス思考の粘着シートの技術はなかったという課題があった。
【０００５】
従って本発明の目的とするところは従来の課題を解決するもので打ち身や捻挫あるいは腰痛や肩痛または切り傷や切開などの医療治癒の一環として貼られる粘着シートは貼り付けた存在そのものを大いに目立たせ注目させ他人の視線を集めることができるように粘着シートの形状や彩色や配色と単語や文章などメッセージや広告または付属品を具備して医療治癒に積極的に立ち向かわせる精神的な意欲をかきたて更に患者に対し精神的な支えを与え且つ他人の言動から治癒応援などが感じ取れるなど楽しさに溢れた趣のあるプラス思考の目覚めにより精神的な治癒効果の期待できる利点を可能にするところにある。
【課題を解決するための手段】
【０００６】
本発明の医療治癒目的の粘着シートは、皮膚へ直接に貼り付ける粘着シートの形状および彩色や配色とキャラクターや自然界のもの、製造物、写真、図、絵柄、等を表したものと単語や文章など及びメッセージや広告のこれらを単独又は複合して印刷具備する。更に印刷具備したその全形周囲に沿って同じ形に裁断し整える。これらの粘着シートは貼り付けたその存在を隠したり目立たないように形状や彩色や配色を施すことなく、それとは全く逆に貼り付けた存在そのものを大いに目立たせ注視させるような形状や彩色や配色とキャラクターや自然界のもの、製造物、写真、図、絵柄、等を表したものと単語や文章などメッセージや広告または付属品などを具備する。
【発明の効果】
【０００７】
本発明の医療治癒目的の粘着シートは、打ち身捻挫あるいは腰痛や肩痛または切り傷や切開などの医療治癒の一環として貼られる粘着シートそのもの自体が、貼り付けた存在そのものを大いに目立たせ注目させ他人の視線を集めることができる如く粘着シートの形状や彩色や配色とキャラクターや自然界のもの、製造物、写真、図、絵柄などを表したものと単語やメッセージや広告または付属品などを単独又は複合して具備することで患者は医療治癒に対して積極的に立ち向かい且つ精神的な意欲をかきたて更に精神的な支えと楽しさの自己誘発によって治癒効果の増大と及びこれにともなう患者の行動範囲の広がりが期待できる。
【発明を実施するための最良の形態】
【０００８】
従来の課題を解決するために本発明の医療治癒目的の粘着シートは、図１の絵馬など（５と２）、図２の文字など（５と３）、図３の広告など（５と４）、図４のメッセージなど（５と６）、又は同様に人物やキャラクターなど及び単語か文章などへデザインや彩色や配色などを施し具備整える。
【０００９】
粘着シートは、図１の絵馬などの全形周囲（１）、図２の文字や背景などの全形周囲（１）、図３の広告など車の全形周囲（１）、図４のメッセージなど花束の全形周囲（１）、又は同様に人物やキャラクター及び単語か文章などへデザインや彩色や配色を施し具備したその全形周囲に沿って裁断し整える。
【００１０】
粘着シート図（１、２、３、４）の（５）へＩＣタグや其の他の情報記憶タグ若しくは器具や装置等を印刷か又は搭載や貼るなど取り付けてカルテ情報や其の他情報の伝達手段や活用源とする。
【００１１】
貼られた粘着シートの存在を大いに目立たせ且つ注視させ及び患者を安楽させるために本来の医療治癒目的とその効果へ何ら関係のない香気成分を図（１、２、３、４）の（５）へ添加または添付し具備する。
【００１２】
図１、図２、図３、図４の形状（５）と図１、図２、図３、図４の全形周囲（１）の形や文字や単語（２と３）や言葉などメッセージ（６）や広告（４）の内容および種類等はこれを特定するものではない。
【実施例１】
【００１３】
図１は、実施例１における粘着シート（５）を示すものである。
【００１４】
図において（５）は粘着シートで、（１）は粘着シート（５）の全形周囲であり（２）は祈願を示す文字である。
【００１５】
粘着シートは、（１）の形に沿って裁断し整える。
【実施例２】
【００１６】
図２は、実施例２における粘着シート（５）を示すものである。
【００１７】
図において（５）は粘着シートで、（１）は粘着シート（５）の全形周囲であり（３）は意思表示の文字である。
【００１８】
粘着シートは、（１）の形に沿って裁断し整える。
【実施例３】
【００１９】
図３は、実施例３における粘着シート（５）を示すものである。
【００２０】
図において（５）は粘着シートで、（１）は粘着シート（５）の全形周囲であり（４）は広告である。
【００２１】
粘着シートは、（１）の形に沿って裁断し整える。
【実施例４】
【００２２】
図４は、実施例４における粘着シート（５）を示すものである。
【００２３】
図において（５）は粘着シートで、（１）は粘着シート（５）の全形周囲であり（６）はメッセージである。
【００２４】
粘着シートは、（１）の形に沿って裁断し整える。
【産業上の利用可能性】
【００２５】
以上のように本発明にかかる医療治癒目的の粘着シートは貼り付けた存在そのものを大いに目立たせ注目させ他人の視線を集めることができるように粘着シートそのものの形状や彩色や配色と単語や文章などメッセージや広告または付属品を具備して医療治癒に積極的に立ち向かわせる精神的な意欲をかきたて更に患者に対し精神的な支えを与え且つ他人の言動から治癒応援などが感じ取れるなど楽しさに溢れた趣のあるプラス思考の目覚めにより精神的な治癒効果が期待できるうえ及び神社仏閣や企業又は個人の広告やメッセージを粘着シートへ掲載することで付加価値の発生や粘着シートの供給価格の低減が図れるという利点を可能にするところにある。
【図面の簡単な説明】
【００２６】
【図１】本発明の病気回復祈願例で絵馬の絵柄の粘着シートである。実施例１
【図２】本発明の受験合格意思表示例で文字柄の粘着シートである。実施例２
【図３】本発明の広告掲載例で自動車の写真柄の粘着シートである。実施例３
【図４】本発明のメッセージ掲載例で花束柄の粘着シートである。実施例４
【符号の説明】
【００２７】
１  粘着シートの全形周囲
２  祈願を示す文字
３  意思を示す文字
４  広告
５  粘着シート
６  メッセージ
【図１】
2008125518.tif 000003
【図２】
2008125518.tif 000004
【図３】
2008125518.tif 000005
【図４】
2008125518.tif 000006